(57)【要約】【課題】リアルームに走行用バッテリと共に配置される補機用バッテリを緩衝部材とすることで、走行用バッテリを後突衝撃から保護すること。【解決手段】車両後部のリアルーム３に走行用バッテリ３１と補機用バッテリ３２，３３を配置した。このＦＦプラグインハイブリッド車両のバッテリ系要素配置構造において、リアルーム３の車両前方側スペースに前記走行用バッテリ３１を配置した。走行用バッテリ３１よりも車両後方側スペースであって、走行用バッテリ３１とは車両前後方向で重なる位置に補機用バッテリ３２，３３を配置した。【選択図】図４
2013147044.tif 000002
【特許請求の範囲】
【請求項１】
車両後部のリアルームに走行用バッテリと補機用バッテリを配置した電動車両のバッテリ系要素配置構造において、
前記リアルームの車両前方側スペースに前記走行用バッテリを配置し、
前記走行用バッテリよりも車両後方側スペースであって、前記走行用バッテリとは車両前後方向で重なる位置に前記補機用バッテリを配置した
ことを特徴とする電動車両のバッテリ系要素配置構造。
【請求項２】
請求項１に記載された電動車両のバッテリ系要素配置構造において、
前記リアルームの床面であるルームフロア面は、車両前方側の第１フロア面と、該第１フロア面から段差壁面を介して設定され、前記第１フロア面より地上高を低くした第２フロア面と、を有し、
前記走行用バッテリを前記第１フロア面に搭載し、前記補機用バッテリを前記第２フロア面に搭載した
ことを特徴とする電動車両のバッテリ系要素配置構造。
【請求項３】
請求項１又は２に記載された電動車両のバッテリ系要素配置構造において、
前記走行用バッテリの車両上方スペースに、前記走行用バッテリと前記補機用バッテリの充放電を管理する電装部品を配置した
ことを特徴とする電動車両のバッテリ系要素配置構造。
【請求項４】
請求項１から３までの何れか１項に記載された電動車両のバッテリ系要素配置構造において、
前記補機用バッテリは、エンジンのスターターモータの電源である第１補機用バッテリと、前記スターターモータ以外の補機類の電源である第２補機用バッテリと、を有し、
前記第１補機用バッテリと前記第２補機用バッテリは、前記走行用バッテリよりも車両後方側スペースの同じ車両前後方向位置に、車幅方向に並べて配置した
ことを特徴とする電動車両のバッテリ系要素配置構造。
【発明の詳細な説明】
【技術分野】
【０００１】
本発明は、車両後部のリアルームに走行用バッテリと補機用バッテリを配置した電動車両のバッテリ系要素配置構造に関する。
【背景技術】
【０００２】
従来、電動車両のバッテリ系要素配置構造としては、車両後部のリアルームに、走行用バッテリを配置し、該走行用バッテリの上面に補機用バッテリを配置したものが知られている（例えば、特許文献１参照）。
【先行技術文献】
【特許文献】
【０００３】
【特許文献１】特開２０１０−１２８６８号公報
【発明の概要】
【発明が解決しようとする課題】
【０００４】
しかしながら、従来の電動車両のバッテリ系要素配置構造にあっては、走行用バッテリの上面に補機用バッテリを配置する縦方向積層配置構造となっている。このため、車両後方から追突される後突時、走行用バッテリと補機用バッテリに対し同時に衝撃力が入力してしまい、走行用バッテリを後突衝撃から保護できない、という問題があった。
【０００５】
本発明は、上記問題に着目してなされたもので、リアルームに走行用バッテリと共に配置される補機用バッテリを緩衝部材とすることで、走行用バッテリを後突衝撃から保護することができる電動車両のバッテリ系要素配置構造を提供することを目的とする。
【課題を解決するための手段】
【０００６】
上記目的を達成するため、本発明は、車両後部のリアルームに走行用バッテリと補機用バッテリを配置した。
この電動車両のバッテリ系要素配置構造において、
前記リアルームの車両前方側スペースに前記走行用バッテリを配置した。
前記走行用バッテリよりも車両後方側スペースであって、前記走行用バッテリとは車両前後方向で重なる位置に前記補機用バッテリを配置した。
【発明の効果】
【０００７】
よって、後突時、走行用バッテリよりも車両後方側スペースであって、走行用バッテリとは車両前後方向で重なる位置に配置される補機用バッテリが、後突による衝撃力を先に受けて衝撃エネルギーを吸収し、走行用バッテリを保護する緩衝部材になる。
このように、リアルームに走行用バッテリと共に配置される補機用バッテリを緩衝部材とすることで、走行用バッテリを後突衝撃から保護することができる。
【図面の簡単な説明】
【０００８】
【図１】実施例１のバッテリ冷却構造が適用されたＦＦプラグインハイブリッド車両を示す全体システム図である。
【図２】実施例１のＦＦプラグインハイブリッド車両においてリアルーム内でのバッテリ系要素配置構造を示す背面図である。
【図３】実施例１のＦＦプラグインハイブリッド車両においてリアルーム内でのバッテリ系要素配置構造を示す平面図である。
【図４】実施例１のＦＦプラグインハイブリッド車両においてリアルーム内でのバッテリ系要素配置構造を示す側面図である。
【発明を実施するための形態】
【０００９】
以下、本発明の電動車両のバッテリ冷却構造を実現する最良の形態を、図面に示す実施例１に基づいて説明する。
【実施例１】
【００１０】
まず、構成を説明する。
実施例１のＦＦプラグインハイブリッド車両（電動車両の一例）のバッテリ冷却構造の構成を、「全体システム構成」、「バッテリ系要素の配置構成」、「バッテリ系要素の冷却構造」に分けて説明する。
【００１１】
［全体システム構成］
図１は、実施例１のバッテリ冷却構造が適用されたＦＦプラグインハイブリッド車両を示す全体システム図である。以下、図１に基づいて、プラグインハイブリッド車両の全体システム構成を説明する。
【００１２】
ＦＦプラグインハイブリッド車両は、図１に示すように、パワートレーン系要素を搭載する車両前方側のフロントルーム１と、ドライバや乗員が着座するセンタールーム２と、バッテリ系要素を搭載する車両後方側のリアルーム３と、の３つにスペース区分される。
ここで、「パワートレーン系要素」とは、電子制御系を含みパワートレーン系を構成する各構成要素のことをいう。「バッテリ系要素」とは、電子制御系を含みバッテリ系を構成する各構成要素のことをいう。
なお、リアルーム３は、荷物を収容可能なラッゲージルームであっても良い。
【００１３】
前記フロントルーム１には、図１に示すように、横置きエンジン４と、第１クラッチ５と、モータ/ジェネレータ６と、第２クラッチ７と、ベルト式無段変速機８と、がパワートレーン系要素として配置される。なお、横置きエンジン４は、エアクリーナ９とスターターモータ１０を有する。また、ベルト式無段変速機８の出力軸は、図外の終減速機と差動ギヤと左右のドライブシャフトを介し、左右の前輪に駆動連結される。
【００１４】
前記横置きエンジン４は、クランク軸方向を車幅方向としてフロントルーム１に配置したエンジンである。横置きエンジン４を配置したフロントルーム１には、横置きエンジン４に関連する様々な制御を行うエンジンコントローラ１１が、エンジン制御系の構成要素として配置される。
【００１５】
前記第１クラッチ５は、横置きエンジン４とモータ/ジェネレータ６との間に介装された油圧式の単板摩擦クラッチあるいは多板摩擦クラッチであり、第１クラッチ油圧により締結/スリップ締結/開放が制御される。
【００１６】
前記モータ/ジェネレータ６は、第１クラッチ５を介して横置きエンジン４に連結された三相交流の永久磁石型同期モータである。このモータ/ジェネレータ６には、力行時に直流を三相交流に変換し、回生時に三相交流を直流に変換するインバータ１２が、三相交流ハーネス２６を介して接続される。モータ/ジェネレータ６を配置したフロントルーム１には、インバータ１２に対して制御指令を出力するモータコントローラ１３が、モータ制御系の構成要素として配置される。
【００１７】
前記第２クラッチ７は、モータ/ジェネレータ６と駆動輪である左右の前輪との間に介装された油圧式の単板摩擦クラッチあるいは多板摩擦クラッチであり、第２クラッチ油圧により締結/スリップ締結/開放が制御される。
【００１８】
前記ベルト式無段変速機８は、プライマリ油室とセカンダリ油室への変速油圧によりベルトの巻き付き径を変えることで無段階の変速比に変速制御される。ベルト式無段変速機８は、ポンプ吐出圧からライン圧を調圧し、ライン圧を元圧として第１，第２クラッチ油圧及び変速油圧を作り出すコントロールバルブユニットを有する。前記第１，第２クラッチ５，７及びベルト式無段変速機８を配置したフロントルーム１には、コントロールバルブユニットの各油圧アクチュエータに対して油圧制御指令を出力する変速機コントローラ１４が、油圧制御系の構成要素として配置される。
【００１９】
前記パワートレーン系による駆動形態が異なる代表的な走行モードとしては、「EVモード」と「HEVモード」と「WSCモード」を有する。「EVモード」は、第１クラッチ５を開放し、第２クラッチ７を締結してモータ走行するモードである。「HEVモード」は、両クラッチ５，７を締結して走行するモードである。「WSCモード」は、第１クラッチ５を締結又は開放し、第２クラッチ７をスリップ締結して走行するモードである。
【００２０】
前記センタールーム２には、図１に示すように、車両前方側であってブレーキ液圧アクチュエータが設けられた位置に、回生制動力と液圧制動力の協調制御を行うブレーキコントローラ２１が配置される。また、車両後方側の位置であって、センタールーム２を画成するフロアパネルの下側位置に、横置きエンジン４への燃料を蓄える燃料タンク２２が配置され、横置きエンジン４と燃料タンク２２は、燃料パイプ２３にて接続される。
【００２１】
前記リアルーム３には、図１に示すように、走行用バッテリ３１と、第１補機用バッテリ３２と、第２補機用バッテリ３３と、ジョイントボックス３４と、第１DC/DCコンバータ３５と、第２DC/DCコンバータ３６と、がバッテリ系要素として配置される。なお、リアルーム３には、プラグインハイブリッド車両であることに伴い、充電器３７と充電ポート３８がバッテリ系要素として追加配置される。
【００２２】
前記走行用バッテリ３１は、走行用電源としての二次電池であり、例えば、ラミネート型リチウムイオンバッテリが用いられる。この走行用バッテリ３１は、互いに接続した多数のセルを積層してバッテリモジュールとし、複数のバッテリモジュールをパックケース内に隙間通路を介して配置した構造としている。走行用バッテリ３１は、モータ/ジェネレータ６が力行制御を行うとき、ジョイントボックス３４→電力線ハーネス３９→インバータ１２を経由して放電する。一方、モータ/ジェネレータ６が回生制御を行うとき、インバータ１２→電力線ハーネス３９→ジョイントボックス３４を経由して充電する。
【００２３】
前記第１補機用バッテリ３２は、車載の補機類のうちスターターモータ１０の専用電源として搭載した低電圧バッテリである。前記第２補機用バッテリ３３は、スターターモータ１０を除く他の補機類４０の電源として搭載した低電圧バッテリである。ここで、２つの補機用バッテリ３２，３３を搭載している理由は、スターターモータ１０によるエンジン始動要求時にエンジン始動を確保するためである。例えば、１つの補機用バッテリのみを搭載した場合には、スターターモータ１０と他の補機類４０との同時使用等を原因として電圧降下が発生することがあることによる。
【００２４】
前記ジョイントボックス３４は、走行用バッテリ３１に対する強電の供給/遮断/分配等を行うリレー回路を集約させた分電盤である。例えば、充電スタンド等での停車時にコネクタプラグ４１を充電ポート３８に接続すると（プラグイン）、充電ポート３８→充電器３７→ジョイントボックス３４を経由し、走行用バッテリ３１が外部充電される。また、第１補機用バッテリ３２の充電量が不足すると、ジョイントボックス３４→第１DC/DCコンバータ３５を経由し、走行用バッテリ３１の充電量の一部で第１補機用バッテリ３２の充電量が確保される。同様に、第２補機用バッテリ３３の充電量が不足すると、ジョイントボックス３４→第２DC/DCコンバータ３６を経由し、走行用バッテリ３１の充電量の一部で第２補機用バッテリ３３の充電量が確保される。
【００２５】
前記走行用バッテリ３１と前記第１DC/DCコンバータ３５と前記第２DC/DCコンバータ３６と前記充電器３７は、何れも全体を覆うケースに収納されたパック構造であり、空冷ファンユニット５１，５５，５６，５７が収納ケースのそれぞれに設けられている。前記ジョイントボックス３４及び空冷ファンユニット５１，５５，５６，５７を配置したリアルーム３には、走行用バッテリ３１の容量管理や温度管理等を行うと共に空冷ファンユニット５１，５５，５６，５７の動作制御を行うバッテリコントローラ４２が、バッテリ制御系の構成要素として配置される。
【００２６】
前記リアルーム３には、車両全体の消費エネルギーを管理し、最高効率で車両を走らせるための機能を担う統合コントローラ４３が、統合制御系の構成要素として配置される。なお、統合コントローラ４３と、各コントローラ１１，１３，１４，２１，４２は、ＣＡＮ通信線４４を介して情報交換される。
【００２７】
［バッテリ系要素の配置構成］
図２〜図４は、リアルーム内でのバッテリ系要素配置構造を示す背面図、平面図、側面図である。以下、図２〜図４に基づき、バッテリ系要素の配置構成を説明する。
【００２８】
前記リアルーム３には、図２〜図４に示すように、走行用バッテリ３１と、第１補機用バッテリ３２（補機用バッテリ）と、第２補機用バッテリ３３（補機用バッテリ）と、ジョイントボックス３４（電装部品）と、第１DC/DCコンバータ３５（電装部品）と、第２DC/DCコンバータ３６（電装部品）と、充電器３７（電装部品）と、バッテリコントローラ４２と、統合コントローラ４３と、が配置されている。
【００２９】
前記走行用バッテリ３１は、図２〜図４に示すように、リアルーム３の車両前方側スペースに、車幅方向の一端部から他端部まで延設して配置されている。この走行用バッテリ３１は、下段バッテリ３１ａと、該下段バッテリ３１ａと同形状で積み重ねた中段バッテリ３１ｂと、該中段バッテリ３１ｂよりも小さい形状で左側に寄せた位置に積み重ねた上段バッテリ３１ｃと、の３層構造により構成されている。これは、ＦＦプラグインハイブリッド車のバッテリであり、電気自動車モードでの走行距離を十分に確保し、燃費性能要求に応えるため、高いバッテリ容量が要求されることによる。
【００３０】
前記第１補機用バッテリ３２と前記第２補機用バッテリ３３は、図２〜図４に示すように、リアルーム３の走行用バッテリ３１よりも車両後方側スペースであって、走行用バッテリ３１とは車両前後方向で重なる位置に配置される。リアルーム３の床面であるルームフロア面３０は、図４に示すように、車両前方側の第１フロア面３０ａと、該第１フロア面３０ａから段差壁面３０ｂを介して設定され、第１フロア面３０ａより地上高を低くした第２フロア面３０ｃと、を有する。そして、走行用バッテリ３１を第１フロア面３０ａに搭載し、両補機用バッテリ３２，３３を第２フロア面３０ｃに搭載している。両補機用バッテリ３２，３３は、図３に示すように、同じ車両前後方向位置に、車幅方向に２つを並べて配置されている。なお、ルームフロア面３０は、図４に示すように、第１フロア面３０ａより車両前方側に段差壁面３０ｄを介し、第１フロア面３０ａより地上高を高くした第３フロア面３０ｅを有する。この段差壁面３０ｄと第３フロア面３０ｅは、燃料タンク２２の設置スペースを確保するためである。
【００３１】
前記ジョイントボックス３４は、図２及び図３に示すように、下段バッテリ３１ａと中段バッテリ３１ｂに比べて車幅方向と前後方向に小さい形状の上段バッテリ３１ｃの横位置であって、中段バッテリ３１ｂの上面位置に配置される。
【００３２】
前記第１DC/DCコンバータ３５と前記第２DC/DCコンバータ３６と前記充電器３７は、走行用バッテリ３１と両補機用バッテリ３２，３３の充放電を管理する電装部品であり、上段バッテリ３１ｃの車両上方スペースに積層状態で配置される。充電器３７は、上段バッテリ３１ｃを含む走行用バッテリ３１を囲って配置される第１フレーム４５に設定される。両DC/DCコンバータ３５，３６は、第１フレーム４５に固定され、充電器３７を囲って配置される第２フレーム４６に車両前後方向に並べて設定される。
なお、第１フレーム４５は、方形状に組んだベースフレーム４７に設けられる。そして、ベースフレーム４７の車両後方位置の車幅方向フレーム部４７ａは、段差壁面３０ｂの上面に沿って走行用バッテリ３１と両補機用バッテリ３２，３３の車両前後方向の中間位置に配置される。
【００３３】
前記バッテリコントローラ４２と前記統合コントローラ４３は、図３及び図４に示すように、走行用バッテリ３１を囲って配置される第１フレーム４５のうち、車両前方側のフレーム部に固定した２つのコントローラボックスに収納配置される。
【００３４】
［バッテリ系要素の冷却構造］
前記リアルーム３には、バッテリ系要素の冷却構造として、図２及び図３に示すように、バッテリ用空冷ファンユニット５１と、コンバータ用空冷ファンユニット５５，５６と、充電器用空冷ファンユニット５７と、バッテリ用排気ダクト５８と、コンバータ用排気ダクト５９，６０と、充電器用排気ダクト６１と、が設けられる。
【００３５】
前記バッテリ用空冷ファンユニット５１は、リアルーム３に配置した走行用バッテリ３１を冷却風により空冷するユニットで、冷却ファン５２と、吸込みダクト５３と、吐出ダクト５４と、を有して構成される。
【００３６】
前記冷却ファン５２は、図２及び図３に示すように、走行用バッテリ３１の上面スペースのうち、車幅方向の片側に寄った一端側上面スペースであって、ジョイントボックス３４の車両上方位置に配置される。この冷却ファン５２は、遠心ファン構造であり、スクロールケーシング５２ｃと、車両上下方向を回転軸方向としてスクロールケーシング５２ｃ内に配置した回転翼５２ｄと、該回転翼５２ｄを回転駆動させるモータ５２ｅと、を有する。スクロールケーシング５２ｂは、吸込み口５２ａを車両上方に向けて開口し、吐出口５２ｂを車幅方向に向けて開口している。
【００３７】
前記吸込みダクト５３は、図２及び図３に示すように、一端がスクロールケーシング５２ｂの吸込み口５２ａに連結され、他端が車両下方に向けて開口している。冷却ファン５２の作動時には、ダクト開口端５３ａから吸込みダクト５３を経由してスクロールケーシング５２ｂの吸込み口５２ａに空気を吸い込む。
【００３８】
前記吐出ダクト５４は、図２及び図３に示すように、一端がスクロールケーシング５２ｂの吐出口５２ｂに連結され、他端が走行用バッテリ３１の冷却風導入口３１ｄに連結される。冷却風導入口３１ｄは、図３に示すように、走行用バッテリ３１の車幅方向一端部（右端部）であって車両前方側の位置に設定される。冷却ファン５２の作動時には、冷却ファン５２からの冷却風を、冷却風導入口３１ｄから車両下方向に向かって走行用バッテリ３１の内部通路に導入する。
【００３９】
前記コンバータ用空冷ファンユニット５５，５６は、図３に示すように、リアルーム３に配置した第１DC/DCコンバータ３５と第２DC/DCコンバータ３６を冷却風により空冷するユニットで、冷却ファンとファンダクトを有して構成される。
【００４０】
前記充電器用空冷ファンユニット５７は、図３に示すように、リアルーム３に配置した充電器３７を冷却風により空冷するユニットで、冷却ファンとファンダクトを有して構成される。
【００４１】
前記バッテリ用排気ダクト５８は、一端が走行用バッテリ３１の冷却風排出口３１ｅに連結され、他端が車体パネルに形成したドラフター開口３ａに連結される。冷却風排出口３１ｅは、図２に示すように、走行用バッテリ３１の車幅方向他端部（左端部）であって車両後方側の位置に設定される。冷却ファン５２の作動時には、走行用バッテリ３１の内部通路を経由して温度が上昇した冷却風を、車両後方に向かって開口する冷却風排出口３１ｅからドラフター開口３ａへと排出する。
【００４２】
前記コンバータ用排気ダクト５９，６０は、一端がそれぞれ第１DC/DCコンバータ３５と第２DC/DCコンバータ３６の冷却風排出口に連結され、他端がそれぞれ充電器用排気ダクト６１に連結される。
【００４３】
前記充電器用排気ダクト６１は、一端が充電器３７の冷却風排出口に連結され、他端がバッテリ用排気ダクト５８に連結される。すなわち、４つの排気ダクト５８，５９，６０，６１は、図３に示すように、排出経路を共用する構造とし、全ての最終排出口をドラフター開口３ａとし、車体を構成するインナーパネルとアウターパネルの隙間空間を介して冷却後の暖まった空気を外気へ排出するようにしている。
【００４４】
次に、作用を説明する。
実施例１のＦＦプラグインハイブリッド車両のバッテリ冷却構造における作用を、「走行用バッテリと補機用バッテリの配置作用」、「バッテリ系要素の冷却作用」に分けて説明する。
【００４５】
［走行用バッテリと補機用バッテリの配置作用］
走行用バッテリ３１と補機用バッテリ３２，３３をリアルーム３内に配置する場合、高圧バッテリである走行用バッテリ３１の後突に対する保護対策が必要である。以下、これを反映する走行用バッテリ３１と補機用バッテリ３２，３３の配置作用を説明する。
【００４６】
実施例１では、リアルーム３の車両前方側スペースに走行用バッテリ３１を配置し、走行用バッテリ３１よりも車両後方側スペースであって、走行用バッテリ３１とは車両前後方向で重なる位置に補機用バッテリ３２，３３を配置する構成を採用した。
この構成により、後突時、車両前方側に押し込む衝撃力が作用して車体が変形すると、補機用バッテリ３２，３３が、後突による衝撃力を走行用バッテリ３１よりも先に受けて衝撃エネルギーを吸収する。すなわち、補機用バッテリ３２，３３が、走行用バッテリ３１を保護する緩衝部材になる。
したがって、後突に対する保護部材や緩衝部材を別途設けることなく、リアルーム３に走行用バッテリ３１と共に配置される補機用バッテリ３２，３３を緩衝部材として利用することで、走行用バッテリ３１が後突衝撃から保護される。
【００４７】
実施例１では、リアルーム３の床面であるルームフロア面３０を、車両前方側の第１フロア面３０ａと、第１フロア面３０ａから段差壁面３０ｂを介して設定され、第１フロア面３０ａより地上高を低くした第２フロア面３０ｃと、を有する構成とした。そして、走行用バッテリ３１を第１フロア面３０ａに搭載し、補機用バッテリ３２，３３を第２フロア面３０ｃに搭載する構成を採用した。
この構成により、後突時、補機用バッテリ３２，３３が車両前方側へ移動しても、段差壁面３０ｂに当接して移動が阻止され、段差壁面３０ｂに挟まれた補機用バッテリ３２，３３のみが変形したり損傷したりする。なお、段差壁面３０ｂによる補機用バッテリ３２，３３の車両前方側への移動阻止機能は、段差壁面３０ｂに沿って配置された車幅方向フレーム部４７ａによりさらに補強される。
したがって、後突時、段差壁面３０ｂにより補機用バッテリ３２，３３が走行用バッテリ３１に向かう車両前方移動を阻止することで、後突衝撃からの走行用バッテリ３１の保護性能が向上される。
【００４８】
実施例１では、走行用バッテリ３１の車両上方スペースに、走行用バッテリ３１と補機用バッテリ３２，３３の充放電を管理する電装部品（第１DC/DCコンバータ３５，第２DC/DCコンバータ３６，充電器３７）を配置する構成を採用した。
この構成により、走行用バッテリ３１と補機用バッテリ３２，３３の充放電を管理する電装部品を走行用バッテリ３１の前後位置に平面的に配置する場合、リアルーム３の設計において電装部品が占有するスペース分を確保する必要となる。
これに対し、電装部品の立体的な配置により、リアルーム３に配置された走行用バッテリ３１の車両上方スペースが有効に活用され、リアルーム３のコンパクト化が達成される。
【００４９】
実施例１では、補機用バッテリとして、エンジン４のスターターモータ１０の電源である第１補機用バッテリ３２と、スターターモータ１０以外の補機類４０の電源である第２補機用バッテリ３３と、を有する。そして、第１補機用バッテリ３２と第２補機用バッテリ３３は、図２及び図３に示すように、走行用バッテリ３１よりも車両後方側スペースの同じ車両前後方向位置に、車幅方向に並べて配置する構成を採用した。
この構成により、第１補機用バッテリ３２と第２補機用バッテリ３３による車幅方向の占有領域が拡大し、後突のうち、右側や左側に寄ったオフセット後突に対しても、２つの補機用バッテリ３２，３３が、走行用バッテリ３１を保護する緩衝部材になる。
したがって、リアルーム３に車幅方向に並べて配置される２つの補機用バッテリ３２，３３を緩衝部材として利用することで、オフセット後突衝撃に対しても走行用バッテリ３１が保護される。
【００５０】
［バッテリ系要素の冷却作用］
走行用バッテリ３１は、高温になるとバッテリ性能が低下することで、高いバッテリ性能を維持するために冷却することが必要である。以下、これを反映するバッテリ系要素の冷却作用を説明する。
【００５１】
走行用バッテリ３１の冷却作用を説明すると、冷却ファン５２の回転翼５２ｄをモータ５２ｅにより回転駆動させると、スクロールケーシング５２ｂの吸込み口５２ａに連結されている吸込みダクト５３からリアルーム３内の空気を吸い込む。そして、冷却ファン５２からの冷却風を、スクロールケーシング５２ｂの吐出口５２ｂに連結されている吐出ダクト５４から走行用バッテリ３１の冷却風導入口３１ｄに吐出する。これにより、冷却風導入口３１ｄから車両下方向に向かって走行用バッテリ３１の内部通路に、冷却ファン５２からの冷却風が導入され、走行用バッテリ３１の内部通路を対角線方向に向かって通過するときに各バッテリセルから熱を奪う。そして、走行用バッテリ３１の車両後方に向かって開口する冷却風排出口３１ｅに連結されたバッテリ用排気ダクト５８を経由し、温度が上昇した冷却風を、冷却風排出口３１ｅからドラフター開口３ａへと排出することで、走行用バッテリ３１が冷却される。
【００５２】
走行用バッテリ３１の車両上方スペースに配置されていることに伴い冷却を要する第１DC/DCコンバータ３５と第２DC/DCコンバータ３６は、コンバータ用空冷ファンユニット５５，５６を作動させることで、冷却風がケース内部に導入され、コンバータ回路から熱を奪う。そして、一端がそれぞれ第１DC/DCコンバータ３５と第２DC/DCコンバータ３６の冷却風排出口に連結されたコンバータ用排気ダクト５９，６０から、温度が上昇した冷却風をドラフター開口３ａへと排出する。このとき、コンバータ用排気ダクト５９，６０からは、充電器用排気ダクト６１とバッテリ用排気ダクト５８を経由し、温度が上昇した冷却風をドラフター開口３ａへと排出することで、両DC/DCコンバータ３５，３６が冷却される。
【００５３】
走行用バッテリ３１の車両上方スペースに配置されていることに伴い冷却を要する充電器３７は、充電器用空冷ファンユニット５７を作動させることで、冷却風がケース内部に導入され、充電回路から熱を奪う。そして、一端が充電器３７の冷却風排出口に連結された充電器用排気ダクト６１から、バッテリ用排気ダクト５８を経由し、温度が上昇した冷却風をドラフター開口３ａへと排出することで、充電器３７が冷却される。
【００５４】
実施例１では、上面に冷却ファン５２を配置した走行用バッテリ３１を、リアルーム３の車幅方向の一端部から他端部まで延設して配置した。この構成を採用したことで、図２及び図３に示すように、走行用バッテリ３１の車幅方向寸法としてリアルーム３に配置するのに最大限の寸法が確保される。したがって、走行用バッテリ３１として要求される全容積と高さ寸法が決まっている場合、車両前後方向寸法が短縮化される。
さらに、走行用バッテリ３１の上面スペースのうち、車幅方向の片側に寄った一端側上面スペースに冷却ファン５２を配置した。この構成を採用したことで、図２及び図３に示すように、冷却ファン５２が配置されない他端側上面スペースが空きスペースとして確保される。したがって、この空きスペースを、DC/DCコンバータ３５等の電装部品の設置スペースとして利用可能である。
この結果、走行用バッテリ３１の車両前後方向寸法の短縮化と上面スペースの有効活用を図りながら、リアルーム３に配置された走行用バッテリ３１の冷却が達成される。
【００５５】
実際例１では、冷却ファン５２を、吸込み口５２ａを車両上方に向けて開口したスクロールケーシング５２ｃと、車両上下方向を回転軸方向とし、スクロールケーシング５２ｃ内に配置した回転翼５２ｄと、を有する遠心ファンとする構成を採用した。
遠心ファンを配置する場合、一般的には、スクロールケーシングの吸込み口を車両前後方向や車幅方向に開口して配置される。しかし、この場合、遠心ファン（スクロールケーシング）の高さが、回転翼の直径よりも高くなる。
これに対し、スクロールケーシング５２ｃの吸込み口５２ａを車両上方に向けて開口する配置とすることで、冷却ファン５２（スクロールケーシング５２ｃ）の高さが回転翼５２ｄの翼幅（＜直径）よりも少し高くなるだけである。
したがって、走行用バッテリ３１の上面スペースに冷却ファン５２を配置することによる高さ方向の寸法増大が抑えられる。
【００５６】
実施例１では、冷却ファン５２からの冷却風を走行用バッテリ３１の内部通路に導入する冷却風導入口３１ｄを、走行用バッテリ３１の車幅方向一端部であって車両前方側の位置に設定した。そして、冷却ファン５２からの冷却風を走行用バッテリ３１の内部通路を介して排出する冷却風排出口３１ｅを、走行用バッテリ３１の車幅方向他端部であって車両後方側の位置に設定した構成を採用した。
この構成により、冷却風導入口３１ｄから冷却風排出口３１ｅへ向かう冷却風の流れ方向は、走行用バッテリ３１の対角線方向となり、走行用バッテリ３１内を流れる冷却風の流れが偏ることなく、走行用バッテリ３１内を全体にわたって流れる。
したがって、冷却風導入口３１ｄから冷却風排出口３１ｅへ向かう対角線方向の冷却風の流れにより、走行用バッテリ３１が均等に冷却される。
【００５７】
実施例１では、走行用バッテリ３１の上面スペースのうち、冷却ファン５２を配置した一端側上面スペースとは車幅方向に反対側の他端側上面スペースに電装部品（両DC/DCコンバータ３５，３６、充電器３７）を配置する構成を採用した。
この構成により、走行用バッテリ３１等の充放電を管理する電装部品が、冷却ファン５２と共に、走行用バッテリ３１の上面スペースに配置されることになる。
したがって、リアルーム３に配置された走行用バッテリ３１の上面スペースが有効に活用され、リアルーム３のコンパクト化が達成される。
【００５８】
次に、効果を説明する。
実施例１のＦＦプラグインハイブリッド車両のバッテリ冷却構造にあっては、下記に列挙する効果を得ることができる。
【００５９】
(1) 車両後部のリアルーム３に走行用バッテリ３１と補機用バッテリ３２，３３を配置した電動車両（ＦＦプラグインハイブリッド車両）のバッテリ系要素配置構造において、
前記リアルーム３の車両前方側スペースに前記走行用バッテリ３１を配置し、
前記走行用バッテリ３１よりも車両後方側スペースであって、前記走行用バッテリ３１とは車両前後方向で重なる位置に前記補機用バッテリ３２，３３を配置した。
このため、リアルーム３に走行用バッテリ３１と共に配置される補機用バッテリ３２，３３を緩衝部材とすることで、走行用バッテリ３１を後突衝撃から保護することができる。
【００６０】
(2) 前記リアルーム３の床面であるルームフロア面３０は、車両前方側の第１フロア面３０ａと、該第１フロア面３０ａから段差壁面３０ｂを介して設定され、前記第１フロア面３０ａより地上高を低くした第２フロア面３０ｃと、を有し、
前記走行用バッテリ３１を前記第１フロア面３０ａに搭載し、前記補機用バッテリ３２，３３を前記第２フロア面３０ｃに搭載した。
このため、(1)の効果に加え、後突時、段差壁面３０ｂにより補機用バッテリ３２，３３が走行用バッテリ３１に向かう車両前方移動を阻止することで、後突衝撃からの走行用バッテリ３１の保護性能を向上することができる。
【００６１】
(3) 前記走行用バッテリ３１の車両上方スペースに、前記走行用バッテリ３１と前記補機用バッテリ３２，３３の充放電を管理する電装部品（ジョイントボックス３４、両DC/DCコンバータ３５，３６、充電器３７）を配置した。
このため、(1)又は(2)の効果に加え、リアルーム３に配置された走行用バッテリ３１の車両上方スペースが電装部品（ジョイントボックス３４、両DC/DCコンバータ３５，３６、充電器３７）の配置スペースとして有効に活用され、リアルーム３のコンパクト化を達成することができる。
【００６２】
(4) 前記補機用バッテリは、エンジン４のスターターモータ１０の電源である第１補機用バッテリ３２と、前記スターターモータ１０以外の補機類４０の電源である第２補機用バッテリ３３と、を有し、
前記第１補機用バッテリ３２と前記第２補機用バッテリ３３は、前記走行用バッテリ３１よりも車両後方側スペースの同じ車両前後方向位置に、車幅方向に並べて配置した。
このため、(1)〜(3)の効果に加え、リアルーム３に車幅方向に並べて配置される２つの補機用バッテリ３２，３３を緩衝部材とすることで、オフセット後突衝撃に対しても走行用バッテリ３１を保護することができる。
【００６３】
以上、本発明の電動車両のバッテリ冷却構造を実施例１に基づき説明してきたが、具体的な構成については、この実施例１に限られるものではなく、特許請求の範囲の各請求項に係る発明の要旨を逸脱しない限り、設計の変更や追加等は許容される。
【００６４】
実施例１では、走行用バッテリ３１として、下段・中段・上段の３段積層構造によるバッテリの例を示した。しかし、走行用バッテリとしては、１段構造によるバッテリの例でも良いし、２段積層構造によるバッテリの例、等であっても良い。
【００６５】
実施例１では、補機用バッテリとして、第１補機用バッテリ３２と第２補機用バッテリ３３を配置する例を示した。しかし、補機用バッテリとしては、１つのバッテリを配置する例であっても良い。また、３つ以上のバッテリを配置する例であっても良い。
【００６６】
実施例１では、リアルームの床面であるルームフロア面３０として、第１フロア面３０ａと段差壁面３０ｂと第２フロア面３０ｃを有する例を示した。しかし、リアルームの床面であるルームフロア面としては、走行用バッテリと補機用バッテリの搭載面が同じ平面によるフロア面とする例であっても良い。
【００６７】
実施例１では、走行用バッテリ３１の車両上方スペースに、走行用バッテリ３１と補機用バッテリ３２，３３の充放電を管理する電装部品を配置する例を示した。しかし、走行用バッテリ３１の車両上方スペースに、電装部品を配置しない例としても良い。
【００６８】
実施例１では、本発明のバッテリ系要素配置構造をＦＦプラグインハイブリッド車両に適用する例を示した。しかし、本発明の電動車両のバッテリ冷却構造は、プラグイン構造を持たないハイブリッド車両、さらに、モータのみを駆動源とする電気自動車に対しても適用することができる。要するに、バッテリルームに配置した走行用バッテリを、冷却ファンからの冷却風により冷却する電動車両に適用できる。
【符号の説明】
【００６９】
１  フロントルーム
２  センタールーム
３  リアルーム
３０  ルームフロア面
３０ａ  第１フロア面
３０ｂ  段差壁面
３０ｃ  第２フロア面
３１  走行用バッテリ
３２  第１補機用バッテリ（補機用バッテリ）
３３  第２補機用バッテリ（補機用バッテリ）
３４  ジョイントボックス（電装部品）
３５  第１DC/DCコンバータ（電装部品）
３６  第２DC/DCコンバータ（電装部品）
３７  充電器（電装部品）
３８  充電ポート
４２  バッテリコントローラ
４３  統合コントローラ
【図１】
2013147044.tif 000003
【図２】
2013147044.tif 000004
【図３】
2013147044.tif 000005
【図４】
2013147044.tif 000006